(57)【特許請求の範囲】
【請求項１】
ロープ類からなる安全用の線状ベース材が、建物の屋根部をターン部とするように建物の全体ないしは略全体に沿うよう逆Ｕ字状にわたされ、
この線状ベース材が建物から外方に間隔をおくように、線状ベース材と建物との間に、線状ベース材に沿って間隔的に、間隔保持具が介設されると共に、
線状ベース材は、その各端部が建物のコンクリート基礎部分に連結され、張力を付与されて引張り緊張状態にされていることを特徴とする屋根上作業用の安全構造。
【請求項２】
前記線状ベース材の端部を建物の基礎コンクリート部分に連結する端部連結具が備えられ、
該端部連結具は、一端に前記線状ベース材を連結するリングを備えたネジ棒と、該ネジ棒に取付け、螺合される一対の挟込み用のプレートとを備え、前記ネジ棒がそのリングを外に出すようにして基礎部分の開口に通されると共に、前記対のプレートがネジ棒のネジを利用して基礎部分を内外方向から挟み込んで基礎部分に固着状態に取り付けられている請求項１に記載の屋根上作業用の安全構造。
【請求項３】
前記間隔保持具は、線状ベース材を案内する滑車と、三方以上に突出する足と、各足に備えられ、回転によるネジ送り作用で進退するようになされた高さ調節用のネジ棒と、各ネジ棒の先端に備えられた、建物への当接部とを備えたものからなっている請求項１又は２に記載の屋根上作業用の安全構造。
【発明の詳細な説明】
【０００１】
【発明の属する技術分野】
本発明は、屋根のリフォーム工事などに簡易に用いられる屋根上作業用の安全用器具及び安全構造に関する。
【０００２】
【従来の技術及び課題】
例えば、戸建て住宅等の建物の屋根のリフォーム工事を行うような場合、屋根上での作業の安全のため、建物の外周に軒上まで足場を組み上げ、この足場を屋根上での作業における転落防止に用いることが行われている。
【０００３】
しかしながら、上記のように軒上までの足場を組むやり方は、コストが高くつくと共に、工期を長くするという問題がある。また、建物近くに花壇や植込み等の障害物がある場合は、上記のような足場を組むことが困難ないしは不可能という問題もある。そのため、軒先に昇降用のハシゴを掛けるだけで、屋根上での作業の安全対策を特に行わないこともあるが、それでは工事作業者が不注意で屋根から転落することがあり、危険というほかない。
【０００４】
本発明は、上記のような従来の問題点に鑑み、屋根上で作業者が安全に作業することができ、しかも、簡易に安全確保をなしえて、コスト面、工期面等での有利性を発揮することができ、加えて、建物の近くに障害物が存在するような場合でもスペース的に有利に用いることができる屋根上作業用の安全用器具及び安全構造を提供することを課題とする。
【０００５】
【課題を解決するための手段】
上記の課題は、建物の屋根部をターン部とするように建物の全体ないしは略全体に沿うよう逆Ｕ字状にわたされる安全用の線状ベース材と、
この線状ベース材が建物から外方に間隔をおくように、線状ベース材と建物との間に、線状ベース材に沿って間隔的に介設される間隔保持具と、
が備えられていることを特徴とする屋根上作業用安全器具によって解決される。
【０００６】
また、安全用の線状ベース材が、建物の屋根部をターン部とするように建物の全体ないしは略全体に沿うよう逆Ｕ字状にわたされ、かつ、
この線状ベース材が建物から外方に間隔をおくように、線状ベース材と建物との間に、線状ベース材に沿って間隔的に、間隔保持具が介設されていることを特徴とする屋根上作業用の安全構造によって解決される。
【０００７】
上記の安全用器具では、線状ベース材を、建物の屋根部をターン部とするように建物の全体ないしは略全体に沿うよう逆Ｕ字状にわたし、その際、線状ベース材が建物から外方に間隔をおくように線状ベース材と建物との間に、間隔保持具を、線状ベース材に沿って間隔的に介設するという態様で建物に配設される。
【０００８】
屋根上での作業は、作業者が身につけている命綱を、屋根上を通過する線状ベース材や、線状ベース材に連結された追加のベース材に掛ける、あるいは、屋根上を通過する線状ベース材や、線状ベース材に連結された追加のベース材を作業者が必要に応じて手でもつなどすることによって、安全に遂行していくことができる。
【０００９】
また、線状ベース材を建物に逆Ｕ字状にわたし、間隔保持具をセットするだけのものであるから、コストも安くすみ、建物への組付けも容易で工期を長くすることもない。
【００１０】
更に、このベース材は線状であって、建物の屋根部をターン部とするように建物の全体ないしは略全体に沿うよう逆Ｕ字状にわたして用いられるものであるから、建物の近くに花壇や植込み等の障害物があるような場合でも、それを避けて、建物にしっかりと配設することができ、種々の建物に対して簡易に用いることができる。
【００１１】
【発明の実施の形態】
次に、本発明の実施形態を図面に基づいて説明する。
【００１２】
図１に示す実施形態は、本発明の安全用器具１を住宅等の建物２の屋根３のリフォーム工事に用いる場合のものである。なお、安全用器具１は、屋根のリフォーム工事に限らず、屋根上での各種作業に広く用いられてよいことはいうまでもない。
【００１３】
安全用器具１は、線状ベース材４と、間隔保持具５と、本実施形態の場合は更に、ベース材端部連結具６と、締付け具７とを備えている。
【００１４】
本実施形態の線状ベース材４は、屈曲可能なフレキシブルな性質を有し、かつ、引っ張り力に対して充分な強度を有する線材からなる。線材４として、例えば、ワイヤーロープなどのロープ類が好適に用いられる。この実施形態では、ワイヤーロープ４が用いられている。長さに制限はないが、線状ベース材４は建物２の屋根部３をターン部とするように建物２の外壁部分８、基礎部分９を含む、建物２の全体ないしは略全体に沿うよう逆Ｕ字状にわたされて用いられるものであり、それに見合った長さを有するものが用いられる。
【００１５】
間隔保持具５は、線状ベース材であるワイヤーロープ４が建物２から外方に間隔をおくように、ワイヤーロープ４と建物２との間に、ロープ４に沿って間隔的に介設されて用いられるものである。本実施形態の間隔保持具５は、図２（イ）に示すように、保持具本体５ａに滑車５ｂが回転自在に取り付けられ、この滑車５ｂにロープ４が案内されるようになされている。また、保持具本体５ａには、ワイヤーロープ４の保持安定性確保のため、三方以上に突出する足５ｃ…が備えられ、各足５ｃ…の先端に、高さ調節用のネジ棒５ｄ…が、回転によるネジ送り作用で進退されるよう、取り付けられている。そして、これらネジ棒５ｄ…の先端にそれぞれ、建物２への当接部５ｅ…が備えられている。各当接部５ｅは、ネジ棒５ｄに対して首振りできるように連結されているのが、建物２への当接安定性確保の上から好ましい。
【００１６】
端部連結具６は、ロープ４の端部を建物２のコンクリート基礎部分９に連結するもので、図２（ロ）に示すように、一端にリング６ａが備えられたネジ棒６ｂと、一対の挟込み用のプレート６ｃ，６ｄとを備える。この端部連結具６は、ネジ棒６ｂをそのリング６ａを外に出すようにして基礎部分９の開口１０に通し、ネジ棒６ｂに取付け、螺合させたプレート６ｃ，６ｄにて基礎部分９を内外両方向から挟み込んで基礎部分９に固着状態に取り付けられるようになされている。ワイヤーロープ４の端部は、基礎部分９の外に突出されるリング６ａに連結される。リング６ａと基礎部分９との間の間隔距離の調整は、ネジ棒６ｂの螺合進退機能を利用して行える。
【００１７】
締付け具７は、建物２にわたされるワイヤーロープ４に張力を付与するもので、ワイヤーロープ４の長さ方向中間部に備えられている。
【００１８】
建物２への安全用器具１の取付けは、建物２を挟む両側の基礎部分９，９に端部連結具６，６を取り付けると共に、ワイヤーロープ４を、一方の基礎部分９から外壁部分８、軒先部分１１へと上方に延ばし、屋根３をターン部として、反対側の軒先部分１１から、外壁部分８、基礎部分９へと下方に延ばして、建物２に逆Ｕ字状にわたす。更に、ワイヤーロープ４の両端を端部連結具６，６のリング６ａ，６ａに連結すると共に、両軒先部分１１，１１、及び、屋根３の上面適所に間隔保持具５…を配置し、ワイヤーロープ４を各間隔保持具５…の滑車５ｂ…に掛ける。そして、締付け具７にて、ワイヤーロープ４を引っ張り緊張状態にする。以上のようにして、安全用器具１が建物２に取り付けられる。ロープ４は、間隔保持具５…によって建物２との間に間隔をおき、従って、建物２の軒先部分１１，１１や屋根部分３を痛めることはない。
【００１９】
屋根３の上での工事は、作業者１２の腰に取り付けられた安全ベルトの命綱１３を屋根上のワイヤーロープ４に連結したり、あるいは、作業者１２がワイヤーロープ４をつかんだりして、安全に遂行される。ロープ４は、間隔保持具５…によって屋根３の上面から上方に離間されているので、命綱１３を掛けたり、ロープ４を手で握ったりするのを容易に行うことができる。
【００２０】
上記の安全用器具１は、ワイヤーロープ４と、間隔保持具５…、端部連結具６，６、締付け具７などで構成された簡素な構成のものであり、従来のような大掛かりな足場を組む場合に比べてコストを大幅に安くでき、建物２への取付けも容易で屋根工事の短工期を実現できる。もちろん、屋根上での作業の安全を確保できる。また、建物２の近くに花壇や植込みなどの障害物があっても、それを避けてうまい具合に建物２に取り付けることができる。
【００２１】
図３に示す実施形態は、上記のようにして建物２に張られたワイヤーロープ４に、これと方向を異にして追加のワイヤーロープ１４をわたした例である。追加ロープ１４の一端は、同じく建物２の基礎部分９に端部連結具６を用いて連結し、他端は、屋根上の主ロープ４に連結し、軒先部分１１には、間隔保持具５をセットしている。このように、追加のロープ１４を用いることで、屋根上での作業の安全を広い領域にわたって確保することができるようになる。なお、ロープ４などの屈曲性の線材をベース線状材として用いる場合には、図３（ロ）に示すように、別途に、屋根３にのぼりおりする手段としてハシゴ１５が必要になるが、このハシゴ１５として、その上端部分が、建物２の軒先部分１１を越えて屋根３上に当接されるような構成のものを用いるのが好ましい。図１に示す実施形態の場合も同様である。
【００２２】
図４に示す実施形態は、安全用器具１の構成部品である線状ベース材がハシゴ材４からなる。ハシゴ材４は、建物２を挟む両軒先部分１１，１１及び棟部分１６で屈折されるようになっていて、屋根３をターン部として建物２に逆Ｕ字状にわたされるようになっている。ハシゴ材４は、スライド機構などにより、建物２の寸法に応じて伸縮調整できるようになっているのがよい。間隔保持具５は、ハシゴ材４を建物２から離間させ、建物２に力学的安定性良く取り付けることができる構造のものであればよく、ハシゴ材４自身に備えさせてもよいし、ハシゴ材４とは物部品として備えられていてもよい。１９は補強材である。本実施形態では、線状ベース材４としてハシゴ材４を用いているため、作業者が屋根にのぼりおりするのに、このハシゴ材４を利用でき、専用ハシゴの使用を排除することができる。なお、本実施形態では、線状ベース材としてのハシゴ材４が、複数、屋根の棟部１６の稜線方向に間隔をおくようにして建物２に取り付けられ、そして、屋根の棟部１６において、隣り合うハシゴ材４，４同士が追加のワイヤーロープ１７にて連結されている。作業者は命綱１３をこのワイヤーロープ１７やハシゴ材４，４に連結して作業を安全に行うことができる。また、本実施形態では、線状ベース材であるハシゴ材４に昇降台１８が備えられ、屋根３と地上との間の荷役のためのリフト機能が付与されている。
【００２３】
以上に、本発明の実施形態を示したが、本発明はこれに限られるものではなく、発明思想を逸脱しない範囲で、各種の変更が可能である。例えば、上記の実施形態では、線状ベース材として、ワイヤーロープなどの線材や、ハシゴ材が用いられている例を示したが、その他の各種形式の線状ベースが用いられてよい。また、間隔保持具も各種構造のものが用いられてよい。
【００２４】
【発明の効果】
上述の次第で、本発明の屋根上作業用の安全用器具及び安全構造は、上記のような構成のものであるから、屋根上で作業者が安全に作業を進めていくことができる。しかも、簡易に安全確保をなしえて、コスト面、工期面等での有利性を発揮することができる。加えて、建物の近くに花壇等の障害物が存在するような場合でも、これを避けてスペース的に有利に用いることができる。
【図面の簡単な説明】
【図１】実施形態を示すもので、安全用器具を取り付けた建物の側面図である。
【図２】図（イ）は間隔保持具の斜視図、図（ロ）は端部連結具の断面斜視図である。
【図３】他の実施形態を示すもので、図（イ）は安全用器具を取り付けた建物の側面図、図（ロ）は同斜視図である。
【図４】更に他の実施形態を示すもので、安全用器具を取り付けた建物の斜視図である。
【符号の説明】
１…安全用器具
２…建物
３…屋根
４…ワイヤーロープ（線状ベース材）
４…ハシゴ材（線状ベース材）
５…間隔保持具
【図１】
0004219473.tif 000002
【図２】
0004219473.tif 000003
【図３】
0004219473.tif 000004
【図４】
0004219473.tif 000005